【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
サーバコンピュータと、クライアントコンピュータと、複数の画像形成装置とを通信媒体を介して接続してなる画像形成システムにおいて、
前記複数の画像形成装置から任意の組み合わせで画像形成装置群を設定する画像形成装置群設定手段と、
前記設定された画像形成装置群の中から１つの画像形成装置群を選択する画像形成装置群選択手段と、
前記クライアントコンピュータ或いは前記サーバコンピュータ自身で、出力するジョブを選択するジョブ選択手段と、
前記選択された画像形成装置群に応じて用意された前記ジョブを制御するためのジョブ制御情報とその初期値を表示可能な表示手段と、
前記表示された初期値を所望の値に変更するジョブ制御情報変更手段と、
前記ジョブを出力する際に、前記ジョブに前記所望の値に変更されたジョブ制御情報を付加して、前記選択された画像形成装置群に出力するジョブ出力制御手段とを有することを特徴とする画像形成システム。
【請求項２】
サーバコンピュータと、クライアントコンピュータと、複数の画像形成装置とを通信媒体を介して接続してなる画像形成システムにおいて、
前記複数の画像形成装置から任意の組み合わせで画像形成装置群を設定する画像形成装置群設定手段と、
前記それぞれの画像形成装置群と関連付けられたジョブ制御情報手段と、
前記クライアントコンピュータ或いは前記サーバコンピュータ自身で、出力するジョブを選択するジョブ選択手段と、
前記設定された画像形成装置群の中から１つの画像形成装置群を選択する画像形成装置群選択手段と、
前記選択された画像形成装置群に応じて、前記関連付けられたジョブ制御情報手段の初期値を表示可能な表示手段と、
前記表示された初期値を所望の値に変更するジョブ制御情報変更手段と、
前記選択された画像形成装置群毎に用意されたジョブ受信手段と、
前記選択されたジョブに、前記変更されたジョブ制御情報手段を付加して、前記設定された画像形成装置群に対応した前記ジョブ受信手段に送信することにより、前記選択されたジョブを前記選択された画像形成装置群に出力するジョブ出力制御手段とを有することを特徴とする画像形成システム。
【請求項３】
サーバコンピュータと、クライアントコンピュータと、複数の画像形成装置とを通信媒体を介して接続してなる画像形成システムにおいて、
前記サーバコンピュータで、前記複数の画像形成装置の各々から装備情報を入手する装備情報入手手段と、
前記複数の画像形成装置から任意の組み合わせで画像形成装置群を設定する画像形成装置群設定手段と、
前記設定された画像形成装置群の中から１つの画像形成装置群を選択する画像形成装置群選択手段と、
前記クライアントコンピュータ或いは前記サーバコンピュータ自身で、出力するジョブを選択するジョブ選択手段と、
前記選択された画像形成装置群と、前記入手した装備情報に応じて用意された前記ジョブを制御するためのジョブ制御情報とその初期値を表示可能な表示手段と、
前記表示された初期値を所望の値に変更するジョブ制御情報変更手段と、
前記ジョブを出力する際に、前記ジョブに前記所望の値に変更されたジョブ制御情報を付加して、前記選択された画像形成装置群に出力するジョブ出力制御手段とを有することを特徴とする画像形成システム。
【請求項４】
サーバコンピュータと、クライアントコンピュータと、複数の画像形成装置とを通信媒体を介して接続してなる画像形成システムにおいて、
前記サーバコンピュータで、前記複数の画像形成装置の各々から装備情報を入手する装備情報入手手段と、
前記複数の画像形成装置から任意の組み合わせで画像形成装置群を設定する画像形成装置群設定手段と、
前記設定された画像形成装置群の中から１つの画像形成装置群を選択する画像形成装置群選択手段と、
前記クライアントコンピュータ或いは前記サーバコンピュータ自身で、出力するジョブを選択するジョブ選択手段と、
前記選択されたジョブを前記選択された画像形成装置群に分割して出力する際のジョブ分割方法を選択するジョブ分割方法選択手段と、
前記選択された画像形成装置群と、前記入手した装備情報と、前記ジョブ分割方法に応じて用意された前記ジョブを制御するためのジョブ制御情報とその初期値を表示可能な表示手段と、
前記表示された初期値を所望の値に変更するジョブ制御情報変更手段と、
前記ジョブを出力する際に、前記ジョブに前記所望の値に変更されたジョブ制御情報を付加して、前記選択された画像形成装置群に出力するジョブ出力制御手段とを有することを特徴とする画像形成システム。
【請求項５】
サーバコンピュータ自身或いはクライアントコンピュータから出力されるジョブを受付け可能な複数の画像形成装置を有する画像形成システムに適用されるジョブ出力制御方法において、
前記複数の画像形成装置から画像形成装置群を設定する画像形成装置群設定工程と、
前記設定された画像形成装置群の中から１つの画像形成装置群を選択する画像形成装置群選択工程と、
前記クライアントコンピュータ或いは前記サーバコンピュータ自身において、出力するジョブを選択可能にするジョブ選択工程と、
前記選択された画像形成装置群に応じて用意された前記ジョブを制御するためのジョブ制御情報とその初期値を表示可能にするための表示工程と、
前記表示された初期値を所望の値に変更するジョブ制御情報変更工程と、
前記ジョブを出力する際に、前記ジョブに前記所望の値に変更されたジョブ制御情報を付加して、前記選択された画像形成装置群に出力するジョブ出力制御工程とを有することを特徴とするジョブ出力制御方法。
【請求項６】
サーバコンピュータ自身或いはクライアントコンピュータから出力されるジョブを受付け可能な複数の画像形成装置を有する画像形成システムに適用されるジョブ出力制御方法において、
前記複数の画像形成装置から画像形成装置群を設定する画像形成装置群設定工程と、
前記それぞれの画像形成装置群と関連付けられたジョブ制御情報手段を提供するジョブ制御情報工程と、
前記クライアントコンピュータ或いは前記サーバコンピュータ自身において、出力するジョブを選択可能にするジョブ選択工程と、
前記設定された画像形成装置群の中から１つの画像形成装置群を選択する画像形成装置群選択工程と、
前記選択された画像形成装置群に応じて、前記関連付けられたジョブ制御情報手段の初期値を表示可能にするための表示工程と、
前記表示された初期値を所望の値に変更するジョブ制御情報変更工程と、
前記選択された画像形成装置群毎に用意されたジョブ受信工程と、
前記選択されたジョブに、前記変更されたジョブ制御情報手段を付加して、前記設定された画像形成装置群に対応した前記ジョブ受信工程に送信することにより、前記選択されたジョブを前記選択された画像形成装置群に出力するジョブ出力制御工程とを有することを特徴とするジョブ出力制御方法。
【請求項７】
前記複数の画像形成装置として、第１の画像形成装置及び第２の画像形成装置、第３の画像形成装置を含む場合、前記複数の画像形成装置から任意の組み合わせを選ぶ際には、前記第１の画像形成装置のみ、前記第２の画像形成装置のみ、前記第３の画像形成装置のみ、前記第１及び第２の画像形成装置、前記第１および第３の画像形成装置、前記第２及び第３の画像形成装置、及び、前記第１及び第２及び第３の画像形成装置、それぞれの組み合わせを選択可能であることを特徴とする請求項５又は６記載のジョブ出力制御方法。
【請求項８】
前記複数の画像形成装置から任意の組み合わせを選ぶ際には、それぞれの画像形成装置を他と識別する識別情報として、画像形成装置の名称、ＩＰアドレス、ＭＡＣアドレス等それぞれの画像形成装置固有の識別情報で、互いに識別して組み合わせを選ぶことを特徴とする請求項５乃至７の何れかに記載のジョブ出力制御方法。
【請求項９】
前記画像形成装置の前記ジョブ制御情報は、それぞれ固有の情報であり、前記画像形成装置群の前記ジョブ制御情報は、前記画像形成装置群を構成している前記画像形成装置固有のジョブ制御情報の組み合わせであることを特徴とする請求項５乃至８の何れかに記載のジョブ出力制御方法。
【請求項１０】
前記画像形成装置群の前記ジョブ制御情報は、前記画像形成装置群を構成している前記画像形成装置固有のジョブ制御情報の和集合であることを特徴とする請求項５乃至９の何れかに記載のジョブ出力制御方法。
【請求項１１】
前記画像形成装置群の前記ジョブ制御情報は、前記画像形成装置群を構成している前記画像形成装置固有のジョブ制御情報の積集合であることを特徴とする請求項５乃至１０の何れかに記載のジョブ出力制御方法。
【請求項１２】
前記画像形成装置群の前記ジョブ制御情報は、それぞれ固有の情報であり、前記画像形成装置群の前記ジョブ制御情報は、前記画像形成装置群を構成しているそれぞれの前記画像形成装置固有のジョブ制御情報と、ジョブの制御方法とに応じて決まる情報であることを特徴とする請求項５乃至１１の何れかに記載のジョブ出力制御方法。
【請求項１３】
前記複数の画像形成装置から任意の組み合わせを行う際に、当該ジョブの制御方法に応じて、同じ組み合わせでも別の画像形成装置群として設定可能であることを特徴とする請求項５乃至１２の何れかに記載のジョブ出力制御方法。
【請求項１４】
前記ジョブの制御方法に応じて、別々のジョブ制御情報を用意し、同じ画像形成装置群の組み合わせでも別のジョブ制御情報として選択肢及び初期値を表示可能であり、その中から所望の値に設定可能であることを特徴とする請求項１３記載のジョブ出力制御方法。
【請求項１５】
前記表示工程では、前記ジョブ制御情報の選択肢とその初期値を表示可能であり、前記表示された初期値を、前記選択肢の中から所望の値に変更可能であることを特徴とする請求項５乃至１４の何れかに記載のジョブ出力制御方法。
【請求項１６】
前記ジョブ制御情報手段に名称を付けて保存するジョブ制御情報保存工程を有することを特徴とする特徴とする請求項５乃至１５の何れかに記載のジョブ出力制御方法。
【請求項１７】
前記ジョブ制御情報保存工程で保存された前記ジョブ制御情報手段は、必要に応じて呼び出して使用可能であることを特徴とする特徴とする請求項１６記載のジョブ出力制御方法。
【請求項１８】
サーバコンピュータと、クライアントコンピュータと、複数の画像形成装置とを通信媒体を介して接続してなる画像形成システムに適用されるジョブ出力制御方法において、
前記サーバコンピュータで、前記複数の画像形成装置の各々から装備情報を入手する装備情報入手工程と、
前記複数の画像形成装置から任意の組み合わせで画像形成装置群を設定する画像形成装置群設定工程と、
前記設定された画像形成装置群の中から１つの画像形成装置群を選択する画像形成装置群選択工程と、
前記クライアントコンピュータ或いは前記サーバコンピュータ自身で、出力するジョブを選択するジョブ選択工程と、
前記選択された画像形成装置群と、前記入手した装備情報に応じて用意された前記ジョブを制御するためのジョブ制御情報とその初期値を表示可能にするための表示工程と、
前記表示された初期値を所望の値に変更するジョブ制御情報変更工程と、
前記ジョブを出力する際に、前記ジョブに前記所望の値に変更されたジョブ制御情報を付加して、前記選択された画像形成装置群に出力するジョブ出力制御工程とを有することを特徴とするジョブ出力制御方法。
【請求項１９】
サーバコンピュータと、クライアントコンピュータと、複数の画像形成装置とを通信媒体を介して接続してなる画像形成システムに適用されるジョブ出力制御方法において、
前記サーバコンピュータで、前記複数の画像形成装置の各々から装備情報を入手する装備情報入手工程と、
前記複数の画像形成装置から任意の組み合わせで画像形成装置群を設定する画像形成装置群設定工程と、
前記設定された画像形成装置群の中から１つの画像形成装置群を選択する画像形成装置群選択工程と、
前記クライアントコンピュータ或いは前記サーバコンピュータ自身で、出力するジョブを選択するジョブ選択工程と、
前記選択されたジョブを前記選択された画像形成装置群に分割して出力する際のジョブ分割方法を選択するジョブ分割方法選択工程と、
前記選択された画像形成装置群と、前記入手した装備情報と、前記ジョブ分割方法に応じて用意された前記ジョブを制御するためのジョブ制御情報とその初期値を表示可能にするための表示工程と、
前記表示された初期値を所望の値に変更するジョブ制御情報変更工程と、
前記ジョブを出力する際に、前記ジョブに前記所望の値に変更されたジョブ制御情報を付加して、前記選択された画像形成装置群に出力するジョブ出力制御工程とを有することを特徴とするジョブ出力制御方法。
【請求項２０】
前記装備情報を入手する画像形成装置が、それぞれの異なるタイプの構成を有するとき、前記選択された画像形成装置群の前記ジョブを制御するためのジョブ制御情報は、前記それぞれの画像形成装置固有のジョブ制御情報の組み合わせであることを特徴とする請求項１８又は１９記載のジョブ出力制御方法。
【請求項２１】
前記画像形成装置群の前記ジョブ制御情報は、前記画像形成装置群を構成している前記画像形成装置固有のジョブ制御情報の和集合であることを特徴とする請求項１８乃至２０の何れかに記載のジョブ出力制御方法。
【請求項２２】
前記画像形成装置群の前記ジョブ制御情報は、前記画像形成装置群を構成している前記画像形成装置固有のジョブ制御情報の積集合であることを特徴とする請求項１８乃至２１の何れかに記載のジョブ出力制御方法。
【請求項２３】
前記画像形成装置群の前記ジョブ制御情報は、全く同じ前記画像形成装置群であっても、前記ジョブ分割方法に応じて前記ジョブ制御情報が変化することを特徴とする請求項１８乃至２２の何れかに記載のジョブ出力制御方法。
【請求項２４】
前記複数の画像形成装置から任意の組み合わせで設定される画像形成装置群に対応する印刷指示モードは、
前記組み合わせが異なるタイプの画像形成装置群については、カラーページと白黒ページが混在するジョブに対し予めジョブをページ単位でカラーページと白黒ページに分離し、それぞれの画像形成装置に出力するカラー／白黒ページ分離モードと、予めカラーページと白黒ページを見分けた上で、ジョブに１枚でもカラーページが混在していればジョブ全てをカラーの画像形成装置に出力し、ジョブ全てが白黒ページで構成されていれば白黒の画像形成装置に自動的にルーティングするカラー／白黒自動ルーティングモードとを有し、
前記組み合わせが同じタイプの画像形成装置群については、ジョブを設定された画像形成装置のうち空き状態にある画像形成装置や早くアイドル状態になると予想される画像形成装置に順次ジョブを配布するジョブクラスタモードと、所定部数設定されたジョブを同じ能力を持つ複数の画像形成装置に割り振る部数クラスタモードと、所定ページ数のジョブを複数の画像形成装置に割り振るページクラスタモードとを有することを特徴とする請求項５〜１４、１８〜２３の何れかに記載のジョブ出力制御方法。
【請求項２５】
サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体であって、
前記ジョブ出力制御方法は、前記複数の画像形成装置から画像形成装置群を選択可能にするための画像形成装置群選択ステップと、
前記クライアントコンピュータ或いは前記サーバコンピュータにて、出力するジョブを選択可能にするためのジョブ選択ステップと、
前記選択された画像形成装置群に応じて用意された前記ジョブを制御するためのジョブ制御情報とその初期値を表示可能にするための表示ステップと、
前記表示された初期値を所望の値に変更可能にするためのジョブ制御情報変更ステップと、
前記ジョブを出力する際に、前記ジョブに前記所望の値に変更されたジョブ制御情報を付加して、前記選択された画像形成装置群に出力可能にするためのジョブ出力制御ステップとを有することを特徴とする記憶媒体。
【請求項２６】
サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、
前記複数の画像形成装置から任意の組み合わせで画像形成装置群を設定可能にするための画像形成装置群設定ステップと、
前記それぞれの画像形成装置群と関連付けられたジョブ制御情報を提供可能にするためのジョブ制御情報ステップと、
前記クライアントコンピュータ或いは前記サーバコンピュータ自身にて、出力するジョブを選択可能にするための制御するジョブ選択ステップと、
前記設定された画像形成装置群の中から１つの画像形成装置群を選択可能にするための画像形成装置群選択ステップと、
前記選択された画像形成装置群に応じて、前記関連付けられたジョブ制御情報手段の初期値を表示可能にするための表示ステップと、
前記表示された初期値を所望の値に変更可能にするためのジョブ制御情報変更ステップと、
前記選択されたジョブに、前記変更されたジョブ制御情報手段を付加して、前記設定された画像形成装置群の各画像形成装置に対して送信することにより、前記選択されたジョブを前記選択された画像形成装置群にて出力可能にするためのジョブ出力制御ステップとを有することを特徴とする記憶媒体。
【請求項２７】
サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、
前記サーバコンピュータで、前記複数の画像形成装置の各々から装備情報を入手可能にするための装備情報入手ステップと、
前記複数の画像形成装置から任意の組み合わせで画像形成装置群を設定可能にするための画像形成装置群設定ステップと、
前記設定された画像形成装置群の中から１つの画像形成装置群を選択可能にするための画像形成装置群選択ステップと、
前記クライアントコンピュータ或いは前記サーバコンピュータ自身において、出力するジョブを選択可能にするためのジョブ選択ステップと、
前記選択された画像形成装置群と、前記入手した装備情報に応じて用意された前記ジョブを制御するためのジョブ制御情報とその初期値を表示可能にするための表示ステップと、
前記表示された初期値を所望の値に変更可能にするためのジョブ制御情報変更ステップと、
前記ジョブを出力する際に、前記ジョブに前記所望の値に変更されたジョブ制御情報を付加して、前記選択された画像形成装置群に出力可能にするためのジョブ出力制御ステップとを有することを特徴とする記憶媒体。
【請求項２８】
サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、
前記サーバコンピュータで、前記複数の画像形成装置の各々から装備情報を入手可能にするための装備情報入手ステップと、
前記複数の画像形成装置から任意の組み合わせで画像形成装置群を設定可能にするための画像形成装置群設定ステップと、
前記設定された画像形成装置群の中から１つの画像形成装置群を選択可能にするための画像形成装置群選択ステップと、
前記クライアントコンピュータ或いは前記サーバコンピュータ自身で、出力するジョブを選択可能にするための制御するジョブ選択ステップと、
前記選択されたジョブを前記選択された画像形成装置群に分割して出力する際のジョブ分割方法を選択可能にするためのジョブ分割方法選択ステップと、
前記選択された画像形成装置群と、前記入手した装備情報と、前記ジョブ分割方法に応じて用意された前記ジョブを制御するためのジョブ制御情報とその初期値を表示可能にするための表示ステップと、
前記表示された初期値を所望の値に変更可能にするためのジョブ制御情報変更ステップと、
前記ジョブを出力する際に、前記ジョブに前記所望の値に変更されたジョブ制御情報を付加して、前記選択された画像形成装置群に出力可能にするためのジョブ出力制御ステップとを有することを特徴とする記憶媒体。
【請求項２９】
複数の画像形成装置の任意の画像形成装置にジョブを出力可能な情報処理装置を含む画像形成システムであって、
前記複数の画像形成装置のうちの任意の組み合わせからなる画像形成装置群を選択する画像形成装置群選択手段と、
出力するジョブを選択するジョブ選択手段と、
前記選択された画像形成装置群に応じた前記ジョブを制御するためのジョブ制御情報とその初期値を表示可能な表示手段と、
前記表示された初期値を前記初期値とは異なる値に変更するジョブ制御情報変更手段と、
前記ジョブに、前記ジョブ制御情報変更手段により前記初期値とは異なる値に変更されたジョブ制御情報を付加して、前記選択された画像形成装置群に出力するジョブ出力制御手段と、
を有することを特徴とする画像形成システム。
【請求項３０】
複数の画像形成装置の任意の画像形成装置にジョブを出力可能な情報処理装置を含む画像形成システムの制御方法であって、
前記複数の画像形成装置のうちの任意の組み合わせからなる画像形成装置群を選択するステップと、
出力するジョブを選択するステップと、
前記選択された画像形成装置群に応じた前記ジョブを制御する為のジョブ制御情報とその初期値を表示せしめるステップと、
前記表示された初期値を前記初期値とは異なる値に変更するステップと、
前記ジョブに、前記初期値とは異なる値に変更されたジョブ制御情報を付加して、前記選択された画像形成装置群に出力するステップと、
を有することを特徴とする画像形成システムの制御方法。
【請求項３１】
複数の画像データを記憶可能な記憶手段を有する第１の画像形成装置と第２の画像形成装置を含む複数台の画像形成装置を具備した画像形成システムであって、
前記システムの１台の画像形成装置によりプリント動作を実行させる第1のプリントモードを実行可能にし、且つ、前記システムの少なくとも２台の画像形成装置を含む複数台の画像形成装置によりプリント動作を実行させる第２のプリントモードを実行可能にするための、印刷制御手段と、
前記システムの何れかの画像形成装置にてプリント動作を実行させる場合に、プリントジョブの処理条件を操作部を介してユーザにより設定可能にするための操作制御手段と、を有し、
前記操作制御手段は、
前記第1のプリントモードにて１台の画像形成装置によりプリント動作を実行させる場合に、その１台の画像形成装置でプリント動作を実行させる場合に選択可能な処理条件をユーザに提示し、その提示した処理条件の候補の中から該第1のプリントモードで処理すべきプリントジョブのための処理条件をユーザにより選択可能にし、一方、前記第２のプリントモードにて複数台の画像形成装置によりプリント動作を実行させる場合には、その複数台の画像形成装置でプリント動作を実行させる場合に選択可能な処理条件をユーザに提示し、その提示した処理条件の候補の中から該第２のプリントモードで処理すべきプリントジョブのための処理条件をユーザにより選択可能にするが、これらいずれの場合においても、処理条件の初期値をユーザに提示した上で該ユーザにより処理条件を選択可能にする、ことを特徴とする画像形成システム。
【請求項３２】
複数の画像データを記憶可能な記憶手段を有する第１の画像形成装置と第２の画像形成装置を含む複数台の画像形成装置を具備した画像形成システムの制御方法であって、
前記システムの１台の画像形成装置によりプリント動作を実行させる第1のプリントモードを実行可能にし、
前記システムの少なくとも２台の画像形成装置を含む複数台の画像形成装置によりプリント動作を実行させる第２のプリントモードを実行可能にし、
前記システムの何れかの画像形成装置にてプリント動作を実行させる場合に、プリントジョブの処理条件を操作部を介してユーザにより設定可能にし、
前記第1のプリントモードにて１台の画像形成装置によりプリント動作を実行させる場合に、その１台の画像形成装置でプリント動作を実行させる場合に選択可能な処理条件を前記操作部を介してユーザに提示し、その提示した処理条件の候補の中から該第1のプリントモードで処理すべきプリントジョブのための処理条件を該操作部を介してユーザにより選択可能にし、一方、前記第２のプリントモードにて複数台の画像形成装置によりプリント動作を実行させる場合には、その複数台の画像形成装置でプリント動作を実行させる場合に選択可能な処理条件を前記操作部を介してユーザに提示し、その提示した処理条件の候補の中から該第２のプリントモードで処理すべきプリントジョブのための処理条件を該操作部を介してユーザにより選択可能にするが、これらいずれの場合においても、処理条件の初期値をユーザに提示した上で該ユーザにより処理条件を選択可能にする、ことを特徴とする制御方法。
【請求項３３】
請求項３０又は３２記載の制御方法をコンピュータに実行させるためのプログラムを記憶したことを特徴とするコンピュータにより読み出し可能な記憶媒体。
【手続補正２】
【補正対象書類名】明細書
【補正対象項目名】０００８
【補正方法】変更
【補正の内容】
【０００８】
上記目的を達成するため、請求項３記載の発明は、サーバコンピュータと、クライアントコンピュータと、複数の画像形成装置とを通信媒体を介して接続してなる画像形成システムにおいて、前記サーバコンピュータで、前記複数の画像形成装置の各々から装備情報を入手する装備情報入手手段と、前記複数の画像形成装置から任意の組み合わせで画像形成装置群を設定する画像形成装置群設定手段と、前記設定された画像形成装置群の中から１つの画像形成装置群を選択する画像形成装置群選択手段と、前記クライアントコンピュータ或いは前記サーバコンピュータ自身で、出力するジョブを選択するジョブ選択手段と、前記選択された画像形成装置群と、前記入手した装備情報に応じて用意された前記ジョブを制御するためのジョブ制御情報とその初期値を表示可能な表示手段と、前記表示された初期値を所望の値に変更するジョブ制御情報変更手段と、前記ジョブを出力する際に、前記ジョブに前記所望の値に変更されたジョブ制御情報を付加して、前記選択された画像形成装置群に出力するジョブ出力制御手段とを有することを特徴とする。
【手続補正３】
【補正対象書類名】明細書
【補正対象項目名】０００９
【補正方法】変更
【補正の内容】
【０００９】
上記目的を達成するため、請求項４記載の発明は、サーバコンピュータと、クライアントコンピュータと、複数の画像形成装置とを通信媒体を介して接続してなる画像形成システムにおいて、前記サーバコンピュータで、前記複数の画像形成装置の各々から装備情報を入手する装備情報入手手段と、前記複数の画像形成装置から任意の組み合わせで画像形成装置群を設定する画像形成装置群設定手段と、前記設定された画像形成装置群の中から１つの画像形成装置群を選択する画像形成装置群選択手段と、前記クライアントコンピュータ或いは前記サーバコンピュータ自身で、出力するジョブを選択するジョブ選択手段と、前記選択されたジョブを前記選択された画像形成装置群に分割して出力する際のジョブ分割方法を選択するジョブ分割方法選択手段と、前記選択された画像形成装置群と、前記入手した装備情報と、前記ジョブ分割方法に応じて用意された前記ジョブを制御するためのジョブ制御情報とその初期値を表示可能な表示手段と、前記表示された初期値を所望の値に変更するジョブ制御情報変更手段と、前記ジョブを出力する際に、前記ジョブに前記所望の値に変更されたジョブ制御情報を付加して、前記選択された画像形成装置群に出力するジョブ出力制御手段とを有することを特徴とする。
【手続補正４】
【補正対象書類名】明細書
【補正対象項目名】００１０
【補正方法】変更
【補正の内容】
【００１０】
上記目的を達成するため、請求項５記載の発明は、サーバコンピュータ自身或いはクライアントコンピュータから出力されるジョブを受付け可能な複数の画像形成装置を有する画像形成システムに適用されるジョブ出力制御方法において、前記複数の画像形成装置から画像形成装置群を設定する画像形成装置群設定工程と、前記設定された画像形成装置群の中から１つの画像形成装置群を選択する画像形成装置群選択工程と、前記クライアントコンピュータ或いは前記サーバコンピュータ自身において、出力するジョブを選択可能にするジョブ選択工程と、前記選択された画像形成装置群に応じて用意された前記ジョブを制御するためのジョブ制御情報とその初期値を表示可能にするための表示工程と、前記表示された初期値を所望の値に変更するジョブ制御情報変更工程と、前記ジョブを出力する際に、前記ジョブに前記所望の値に変更されたジョブ制御情報を付加して、前記選択された画像形成装置群に出力するジョブ出力制御工程とを有することを特徴とする。
【手続補正５】
【補正対象書類名】明細書
【補正対象項目名】００１１
【補正方法】変更
【補正の内容】
【００１１】
上記目的を達成するため、請求項６記載の発明は、サーバコンピュータ自身或いはクライアントコンピュータから出力されるジョブを受付け可能な複数の画像形成装置を有する画像形成システムに適用されるジョブ出力制御方法において、前記複数の画像形成装置から画像形成装置群を設定する画像形成装置群設定工程と、前記それぞれの画像形成装置群と関連付けられたジョブ制御情報手段を提供するジョブ制御情報工程と、前記クライアントコンピュータ或いは前記サーバコンピュータ自身において、出力するジョブを選択可能にするジョブ選択工程と、前記設定された画像形成装置群の中から１つの画像形成装置群を選択する画像形成装置群選択工程と、前記選択された画像形成装置群に応じて、前記関連付けられたジョブ制御情報手段の初期値を表示可能にするための表示工程と、前記表示された初期値を所望の値に変更するジョブ制御情報変更工程と、前記選択された画像形成装置群毎に用意されたジョブ受信工程と、前記選択されたジョブに、前記変更されたジョブ制御情報手段を付加して、前記設定された画像形成装置群に対応した前記ジョブ受信工程に送信することにより、前記選択されたジョブを前記選択された画像形成装置群に出力するジョブ出力制御工程とを有することを特徴とする。
【手続補正６】
【補正対象書類名】明細書
【補正対象項目名】００１２
【補正方法】変更
【補正の内容】
【００１２】
上記目的を達成するため、請求項７記載の発明は、前記複数の画像形成装置として、第１の画像形成装置及び第２の画像形成装置、第３の画像形成装置を含む場合、前記複数の画像形成装置から任意の組み合わせを選ぶ際には、前記第１の画像形成装置のみ、前記第２の画像形成装置のみ、前記第３の画像形成装置のみ、前記第１及び第２の画像形成装置、前記第１および第３の画像形成装置、前記第２及び第３の画像形成装置、及び、前記第１及び第２及び第３の画像形成装置、それぞれの組み合わせを選択可能であることを特徴とする。
【手続補正７】
【補正対象書類名】明細書
【補正対象項目名】００１３
【補正方法】変更
【補正の内容】
【００１３】
上記目的を達成するため、請求項８記載の発明は、前記複数の画像形成装置から任意の組み合わせを選ぶ際には、それぞれの画像形成装置を他と識別する識別情報として、画像形成装置の名称、ＩＰアドレス、ＭＡＣアドレス等それぞれの画像形成装置固有の識別情報で、互いに識別して組み合わせを選ぶことを特徴とする。
【手続補正８】
【補正対象書類名】明細書
【補正対象項目名】００１４
【補正方法】変更
【補正の内容】
【００１４】
上記目的を達成するため、請求項９記載の発明は、前記画像形成装置の前記ジョブ制御情報は、それぞれ固有の情報であり、前記画像形成装置群の前記ジョブ制御情報は、前記画像形成装置群を構成している前記画像形成装置固有のジョブ制御情報の組み合わせであることを特徴とする。
【手続補正９】
【補正対象書類名】明細書
【補正対象項目名】００１５
【補正方法】変更
【補正の内容】
【００１５】
上記目的を達成するため、請求項１０記載の発明は、前記画像形成装置群の前記ジョブ制御情報は、前記画像形成装置群を構成している前記画像形成装置固有のジョブ制御情報の和集合であることを特徴とする。
【手続補正１０】
【補正対象書類名】明細書
【補正対象項目名】００１６
【補正方法】変更
【補正の内容】
【００１６】
上記目的を達成するため、請求項１１記載の発明は、前記画像形成装置群の前記ジョブ制御情報は、前記画像形成装置群を構成している前記画像形成装置固有のジョブ制御情報の積集合であることを特徴とする。
【手続補正１１】
【補正対象書類名】明細書
【補正対象項目名】００１７
【補正方法】変更
【補正の内容】
【００１７】
上記目的を達成するため、請求項１２記載の発明は、前記画像形成装置群の前記ジョブ制御情報は、それぞれ固有の情報であり、前記画像形成装置群の前記ジョブ制御情報は、前記画像形成装置群を構成しているそれぞれの前記画像形成装置固有のジョブ制御情報と、ジョブの制御方法とに応じて決まる情報であることを特徴とする。
【手続補正１２】
【補正対象書類名】明細書
【補正対象項目名】００１８
【補正方法】変更
【補正の内容】
【００１８】
上記目的を達成するため、請求項１３記載の発明は、前記複数の画像形成装置から任意の組み合わせを行う際に、当該ジョブの制御方法に応じて、同じ組み合わせでも別の画像形成装置群として設定可能であることを特徴とする。
【手続補正１３】
【補正対象書類名】明細書
【補正対象項目名】００１９
【補正方法】変更
【補正の内容】
【００１９】
上記目的を達成するため、請求項１４記載の発明は、前記ジョブの制御方法に応じて、別々のジョブ制御情報を用意し、同じ画像形成装置群の組み合わせでも別のジョブ制御情報として選択肢及び初期値を表示可能であり、その中から所望の値に設定可能であることを特徴とする。
【手続補正１４】
【補正対象書類名】明細書
【補正対象項目名】００２０
【補正方法】変更
【補正の内容】
【００２０】
上記目的を達成するため、請求項１５記載の発明は、前記表示工程では、前記ジョブ制御情報の選択肢とその初期値を表示可能であり、前記表示された初期値を、前記選択肢の中から所望の値に変更可能であることを特徴とする。
【手続補正１５】
【補正対象書類名】明細書
【補正対象項目名】００２１
【補正方法】変更
【補正の内容】
【００２１】
上記目的を達成するため、請求項１６記載の発明は、前記ジョブ制御情報手段に名称を付けて保存するジョブ制御情報保存工程を有することを特徴とする特徴とする。
【手続補正１６】
【補正対象書類名】明細書
【補正対象項目名】００２２
【補正方法】変更
【補正の内容】
【００２２】
上記目的を達成するため、請求項１７記載の発明は、前記ジョブ制御情報保存工程で保存された前記ジョブ制御情報手段は、必要に応じて呼び出して使用可能であることを特徴とする特徴とする。
【手続補正１７】
【補正対象書類名】明細書
【補正対象項目名】００２３
【補正方法】変更
【補正の内容】
【００２３】
上記目的を達成するため、請求項１８記載の発明は、サーバコンピュータと、クライアントコンピュータと、複数の画像形成装置とを通信媒体を介して接続してなる画像形成システムに適用されるジョブ出力制御方法において、前記サーバコンピュータで、前記複数の画像形成装置の各々から装備情報を入手する装備情報入手工程と、前記複数の画像形成装置から任意の組み合わせで画像形成装置群を設定する画像形成装置群設定工程と、前記設定された画像形成装置群の中から１つの画像形成装置群を選択する画像形成装置群選択工程と、前記クライアントコンピュータ或いは前記サーバコンピュータ自身で、出力するジョブを選択するジョブ選択工程と、前記選択された画像形成装置群と、前記入手した装備情報に応じて用意された前記ジョブを制御するためのジョブ制御情報とその初期値を表示可能にするための表示工程と、前記表示された初期値を所望の値に変更するジョブ制御情報変更工程と、前記ジョブを出力する際に、前記ジョブに前記所望の値に変更されたジョブ制御情報を付加して、前記選択された画像形成装置群に出力するジョブ出力制御工程とを有することを特徴とする。
【手続補正１８】
【補正対象書類名】明細書
【補正対象項目名】００２４
【補正方法】変更
【補正の内容】
【００２４】
上記目的を達成するため、請求項１９記載の発明は、サーバコンピュータと、クライアントコンピュータと、複数の画像形成装置とを通信媒体を介して接続してなる画像形成システムに適用されるジョブ出力制御方法において、前記サーバコンピュータで、前記複数の画像形成装置の各々から装備情報を入手する装備情報入手工程と、前記複数の画像形成装置から任意の組み合わせで画像形成装置群を設定する画像形成装置群設定工程と、前記設定された画像形成装置群の中から１つの画像形成装置群を選択する画像形成装置群選択工程と、前記クライアントコンピュータ或いは前記サーバコンピュータ自身で、出力するジョブを選択するジョブ選択工程と、前記選択されたジョブを前記選択された画像形成装置群に分割して出力する際のジョブ分割方法を選択するジョブ分割方法選択工程と、前記選択された画像形成装置群と、前記入手した装備情報と、前記ジョブ分割方法に応じて用意された前記ジョブを制御するためのジョブ制御情報とその初期値を表示可能にするための表示工程と、前記表示された初期値を所望の値に変更するジョブ制御情報変更工程と、前記ジョブを出力する際に、前記ジョブに前記所望の値に変更されたジョブ制御情報を付加して、前記選択された画像形成装置群に出力するジョブ出力制御工程とを有することを特徴とする。
【手続補正１９】
【補正対象書類名】明細書
【補正対象項目名】００２５
【補正方法】変更
【補正の内容】
【００２５】
上記目的を達成するため、請求項２０記載の発明は、前記装備情報を入手する画像形成装置が、それぞれの異なるタイプの構成を有するとき、前記選択された画像形成装置群の前記ジョブを制御するためのジョブ制御情報は、前記それぞれの画像形成装置固有のジョブ制御情報の組み合わせであることを特徴とする。
【手続補正２０】
【補正対象書類名】明細書
【補正対象項目名】００２６
【補正方法】変更
【補正の内容】
【００２６】
上記目的を達成するため、請求項２１記載の発明は、前記画像形成装置群の前記ジョブ制御情報は、前記画像形成装置群を構成している前記画像形成装置固有のジョブ制御情報の和集合であることを特徴とする。
【手続補正２１】
【補正対象書類名】明細書
【補正対象項目名】００２７
【補正方法】変更
【補正の内容】
【００２７】
上記目的を達成するため、請求項２２記載の発明は、前記画像形成装置群の前記ジョブ制御情報は、前記画像形成装置群を構成している前記画像形成装置固有のジョブ制御情報の積集合であることを特徴とする。
【手続補正２２】
【補正対象書類名】明細書
【補正対象項目名】００２８
【補正方法】変更
【補正の内容】
【００２８】
上記目的を達成するため、請求項２３記載の発明は、前記画像形成装置群の前記ジョブ制御情報は、全く同じ前記画像形成装置群であっても、前記ジョブ分割方法に応じて前記ジョブ制御情報が変化することを特徴とする。
【手続補正２３】
【補正対象書類名】明細書
【補正対象項目名】００２９
【補正方法】変更
【補正の内容】
【００２９】
上記目的を達成するため、請求項２４記載の発明は、前記複数の画像形成装置から任意の組み合わせで設定される画像形成装置群に対応する印刷指示モードは、前記組み合わせが異なるタイプの画像形成装置群については、カラーページと白黒ページが混在するジョブに対し予めジョブをページ単位でカラーページと白黒ページに分離し、それぞれの画像形成装置に出力するカラー／白黒ページ分離モードと、予めカラーページと白黒ページを見分けた上で、ジョブに１枚でもカラーページが混在していればジョブ全てをカラーの画像形成装置に出力し、ジョブ全てが白黒ページで構成されていれば白黒の画像形成装置に自動的にルーティングするカラー／白黒自動ルーティングモードとを有し、前記組み合わせが同じタイプの画像形成装置群については、ジョブを設定された画像形成装置のうち空き状態にある画像形成装置や早くアイドル状態になると予想される画像形成装置に順次ジョブを配布するジョブクラスタモードと、所定部数設定されたジョブを同じ能力を持つ複数の画像形成装置に割り振る部数クラスタモードと、所定ページ数のジョブを複数の画像形成装置に割り振るページクラスタモードとを有することを特徴とする。
【手続補正２４】
【補正対象書類名】明細書
【補正対象項目名】００３０
【補正方法】変更
【補正の内容】
【００３０】
上記目的を達成するため、請求項２５記載の発明は、サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体であって、
前記ジョブ出力制御方法は、前記複数の画像形成装置から画像形成装置群を選択可能にするための画像形成装置群選択ステップと、前記クライアントコンピュータ或いは前記サーバコンピュータにて、出力するジョブを選択可能にするためのジョブ選択ステップと、前記選択された画像形成装置群に応じて用意された前記ジョブを制御するためのジョブ制御情報とその初期値を表示可能にするための表示ステップと、前記表示された初期値を所望の値に変更可能にするためのジョブ制御情報変更ステップと、前記ジョブを出力する際に、前記ジョブに前記所望の値に変更されたジョブ制御情報を付加して、前記選択された画像形成装置群に出力可能にするためのジョブ出力制御ステップとを有することを特徴とする。
【手続補正２５】
【補正対象書類名】明細書
【補正対象項目名】００３１
【補正方法】変更
【補正の内容】
【００３１】
上記目的を達成するため、請求項２６記載の発明は、サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、前記複数の画像形成装置から任意の組み合わせで画像形成装置群を設定可能にするための画像形成装置群設定ステップと、前記それぞれの画像形成装置群と関連付けられたジョブ制御情報を提供可能にするためのジョブ制御情報ステップと、前記クライアントコンピュータ或いは前記サーバコンピュータ自身にて、出力するジョブを選択可能にするための制御するジョブ選択ステップと、前記設定された画像形成装置群の中から１つの画像形成装置群を選択可能にするための画像形成装置群選択ステップと、前記選択された画像形成装置群に応じて、前記関連付けられたジョブ制御情報手段の初期値を表示可能にするための表示ステップと、前記表示された初期値を所望の値に変更可能にするためのジョブ制御情報変更ステップと、前記選択されたジョブに、前記変更されたジョブ制御情報手段を付加して、前記設定された画像形成装置群の各画像形成装置に対して送信することにより、前記選択されたジョブを前記選択された画像形成装置群にて出力可能にするためのジョブ出力制御ステップとを有することを特徴とする。
【手続補正２６】
【補正対象書類名】明細書
【補正対象項目名】００３２
【補正方法】変更
【補正の内容】
【００３２】
上記目的を達成するため、請求項２７記載の発明は、サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、前記サーバコンピュータで、前記複数の画像形成装置の各々から装備情報を入手可能にするための装備情報入手ステップと、前記複数の画像形成装置から任意の組み合わせで画像形成装置群を設定可能にするための画像形成装置群設定ステップと、前記設定された画像形成装置群の中から１つの画像形成装置群を選択可能にするための画像形成装置群選択ステップと、前記クライアントコンピュータ或いは前記サーバコンピュータ自身において、出力するジョブを選択可能にするためのジョブ選択ステップと、前記選択された画像形成装置群と、前記入手した装備情報に応じて用意された前記ジョブを制御するためのジョブ制御情報とその初期値を表示可能にするための表示ステップと、前記表示された初期値を所望の値に変更可能にするためのジョブ制御情報変更ステップと、前記ジョブを出力する際に、前記ジョブに前記所望の値に変更されたジョブ制御情報を付加して、前記選択された画像形成装置群に出力可能にするためのジョブ出力制御ステップとを有することを特徴とする。
【手続補正２７】
【補正対象書類名】明細書
【補正対象項目名】００３３
【補正方法】変更
【補正の内容】
【００３３】
上記目的を達成するため、請求項２８記載の発明は、サーバコンピュータ自身或いはクライアントコンピュータから出力されるジョブを受付け可能な複数の画像形成装置を有する画像形成システムに適用されるジョブ出力制御方法を実行するプログラムを記憶したコンピュータにより読み出し可能な記憶媒体において、前記サーバコンピュータで、前記複数の画像形成装置の各々から装備情報を入手可能にするための装備情報入手ステップと、前記複数の画像形成装置から任意の組み合わせで画像形成装置群を設定可能にするための画像形成装置群設定ステップと、前記設定された画像形成装置群の中から１つの画像形成装置群を選択可能にするための画像形成装置群選択ステップと、前記クライアントコンピュータ或いは前記サーバコンピュータ自身で、出力するジョブを選択可能にするための制御するジョブ選択ステップと、前記選択されたジョブを前記選択された画像形成装置群に分割して出力する際のジョブ分割方法を選択可能にするためのジョブ分割方法選択ステップと、前記選択された画像形成装置群と、前記入手した装備情報と、前記ジョブ分割方法に応じて用意された前記ジョブを制御するためのジョブ制御情報とその初期値を表示可能にするための表示ステップと、前記表示された初期値を所望の値に変更可能にするためのジョブ制御情報変更ステップと、前記ジョブを出力する際に、前記ジョブに前記所望の値に変更されたジョブ制御情報を付加して、前記選択された画像形成装置群に出力可能にするためのジョブ出力制御ステップとを有することを特徴とする。
【手続補正２８】
【補正対象書類名】明細書
【補正対象項目名】００３４
【補正方法】変更
【補正の内容】
【００３４】
上記目的を達成するため、請求項２９記載の発明は、複数の画像形成装置の任意の画像形成装置にジョブを出力可能な情報処理装置を含む画像形成システムであって、前記複数の画像形成装置のうちの任意の組み合わせからなる画像形成装置群を選択する画像形成装置群選択手段と、出力するジョブを選択するジョブ選択手段と、前記選択された画像形成装置群に応じた前記ジョブを制御するためのジョブ制御情報とその初期値を表示可能な表示手段と、前記表示された初期値を前記初期値とは異なる値に変更するジョブ制御情報変更手段と、前記ジョブに、前記ジョブ制御情報変更手段により前記初期値とは異なる値に変更されたジョブ制御情報を付加して、前記選択された画像形成装置群に出力するジョブ出力制御手段と、を有することを特徴とする。
【手続補正２９】
【補正対象書類名】明細書
【補正対象項目名】００３５
【補正方法】変更
【補正の内容】
【００３５】
上記目的を達成するため、請求項３０記載の発明は、複数の画像形成装置の任意の画像形成装置にジョブを出力可能な情報処理装置を含む画像形成システムの制御方法であって、前記複数の画像形成装置のうちの任意の組み合わせからなる画像形成装置群を選択するステップと、出力するジョブを選択するステップと、前記選択された画像形成装置群に応じた前記ジョブを制御するためのジョブ制御情報とその初期値を表示せしめるステップと、前記表示された初期値を前記初期値とは異なる値に変更するステップと、前記ジョブに、前記初期値とは異なる値に変更されたジョブ制御情報を付加して、前記選択された画像形成装置群に出力するステップと、を有することを特徴とする。
【手続補正３０】
【補正対象書類名】明細書
【補正対象項目名】００３６
【補正方法】変更
【補正の内容】
【００３６】
上記目的を達成するため、請求項３１記載の発明は、複数の画像データを記憶可能な記憶手段を有する第１の画像形成装置と第２の画像形成装置を含む複数台の画像形成装置を具備した画像形成システムであって、前記システムの１台の画像形成装置によりプリント動作を実行させる第1のプリントモードを実行可能にし、且つ、前記システムの少なくとも２台の画像形成装置を含む複数台の画像形成装置によりプリント動作を実行させる第２のプリントモードを実行可能にするための、印刷制御手段と、前記システムの何れかの画像形成装置にてプリント動作を実行させる場合に、プリントジョブの処理条件を操作部を介してユーザにより設定可能にするための操作制御手段と、を有し、前記操作制御手段は、前記第1のプリントモードにて１台の画像形成装置によりプリント動作を実行させる場合に、その１台の画像形成装置でプリント動作を実行させる場合に選択可能な処理条件をユーザに提示し、その提示した処理条件の候補の中から該第1のプリントモードで処理すべきプリントジョブのための処理条件をユーザにより選択可能にし、一方、前記第２のプリントモードにて複数台の画像形成装置によりプリント動作を実行させる場合には、その複数台の画像形成装置でプリント動作を実行させる場合に選択可能な処理条件をユーザに提示し、その提示した処理条件の候補の中から該第２のプリントモードで処理すべきプリントジョブのための処理条件をユーザにより選択可能にするが、これらいずれの場合においても、処理条件の初期値をユーザに提示した上で該ユーザにより処理条件を選択可能にする、ことを特徴とする。
【手続補正３１】
【補正対象書類名】明細書
【補正対象項目名】００３７
【補正方法】変更
【補正の内容】
【００３７】
上記目的を達成するため、請求項３２記載の発明は、複数の画像データを記憶可能な記憶手段を有する第１の画像形成装置と第２の画像形成装置を含む複数台の画像形成装置を具備した画像形成システムの制御方法であって、前記システムの１台の画像形成装置によりプリント動作を実行させる第1のプリントモードを実行可能にし、前記システムの少なくとも２台の画像形成装置を含む複数台の画像形成装置によりプリント動作を実行させる第２のプリントモードを実行可能にし、前記システムの何れかの画像形成装置にてプリント動作を実行させる場合に、プリントジョブの処理条件を操作部を介してユーザにより設定可能にし、前記第1のプリントモードにて１台の画像形成装置によりプリント動作を実行させる場合に、その１台の画像形成装置でプリント動作を実行させる場合に選択可能な処理条件を前記操作部を介してユーザに提示し、その提示した処理条件の候補の中から該第1のプリントモードで処理すべきプリントジョブのための処理条件を該操作部を介してユーザにより選択可能にし、一方、前記第２のプリントモードにて複数台の画像形成装置によりプリント動作を実行させる場合には、その複数台の画像形成装置でプリント動作を実行させる場合に選択可能な処理条件を前記操作部を介してユーザに提示し、その提示した処理条件の候補の中から該第２のプリントモードで処理すべきプリントジョブのための処理条件を該操作部を介してユーザにより選択可能にするが、これらいずれの場合においても、処理条件の初期値をユーザに提示した上で該ユーザにより処理条件を選択可能にする、ことを特徴とする。
【手続補正３２】
【補正対象書類名】明細書
【補正対象項目名】００３８
【補正方法】変更
【補正の内容】
【００３８】
上記目的を達成するため、請求項３３記載の発明は、請求項３０又は３２記載の制御方法をコンピュータに実行させるためのプログラムを記憶したことを特徴とする。
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】０２１９
【補正方法】変更
【補正の内容】
【０２１９】
【発明の効果】
以上説明したように、本発明によれば、複数の画像形成装置の中から所望の画像形成装置を選択して１つのクラスタ画像形成装置を構成し、ユーザがそのクラスタ画像形成装置を選択してプリントする際に、通常の画像形成装置と同様にそれぞれの画像形成装置が有するジョブ制御のための設定項目と初期値を表示することで、ユーザに所望の設定項目を変更させることにより、クラスタプリントさせることが可能となる効果を奏する。
【手続補正６３】
【補正対象書類名】明細書
【補正対象項目名】０２２１
【補正方法】削除
【補正の内容】
【手続補正６４】
【補正対象書類名】明細書
【補正対象項目名】０２２２
【補正方法】削除
【補正の内容】
【手続補正６５】
【補正対象書類名】明細書
【補正対象項目名】０２２３
【補正方法】削除
【補正の内容】